(57)【要約】      （修正有）【課題】両端部に型枠下端受容部を設けた帯板の肉厚を薄くすることができ、コンクリートを流し込んだときに型枠にかかる荷重を確実に支えることができるコンクリート型枠支持具を提供する。【解決手段】帯板２の長さ方向の両端部に、折曲して直角に起立させた外側支持片部３を形成し、切り込み４を入れて切り起こし、一端側を帯板２との連結部とした内側支持片部５を形成する。帯板２と外側支持片部３及び内側支持片部５とをもって型枠下端受容部６とする。内側支持片部５の位置に、帯板２の幅方向に沿って折り切り線７を設ける。更に外側支持片部３に、その両側端部を直角に内側支持片部５と反対側に折曲することによりアングル状補強部８を形成する。アングル状補強部８の下端面８′を帯板２の下端面と同一水平面とする。【選択図】図２
0003154624.tif 000002
【実用新案登録請求の範囲】
【請求項１】
所要の幅及び厚味を有する一枚の帯板の長さ方向の両端部に、折曲して直角に起立させた外側支持片部を形成すると共に、該外側支持片部から夫々所定の距離を存した位置に、該帯板の長さ方向に沿った切り込みを入れて切り起こし、一端側を該帯板との連結部とした内側支持片部を形成し、帯板とこれら外側支持片部及び内側支持片部とをもって型枠下端受容部とし、更に前記内側支持片部の位置に、該帯板の幅方向に沿って折り切り線を設けてなるコンクリート型枠支持具において、前記外側支持片部に、前記内側支持片部と反対側に向けてアングル状補強部を形成すると共に該アングル状補強部の下端面を前記帯板の下端面と同一水平面となしたことを特徴とするコンクリート型枠支持具。
【請求項２】
外側支持片部に、その両側端部を直角に内側支持片部と反対側に折曲することによりアングル状補強部を形成してなる請求項１記載のコンクリート型枠支持具。
【請求項３】
外側支持片部に、その両側端からやや内側に寄った位置に夫々縦方向の切り込みを入れ、該切り込みから内側支持片部と反対側に向けて直角に切り起こすことによりアングル状補強部を形成してなる請求項１記載のコンクリート型枠支持具。
【請求項４】
外側支持片部に、その上端部を更に内側支持片部と反対側に逆Ｖ字状に折曲することによりアングル状補強部を形成してなる請求項１記載のコンクリート型枠支持具。
【請求項５】
外側支持片部に、その上端部を重合するよう内側支持片部と反対側に折り返すと共に該折り返し部の端部を更に直角に内側支持片部と反対側に折曲することによりアングル状補強部を形成してなる請求項１記載のコンクリート型枠支持具。
【請求項６】
前記帯板の長さ方向の両端部における外側支持片部の位置に、該帯板の幅方向に沿って折り切り線を設けてなる請求項１、２、３、４又は５記載のコンクリート型枠支持具。
【請求項７】
前記内側支持片部の上端部を、前記外側支持片部と反対側に向けて折曲してなる請求項１、２、３、４、５又は６記載のコンクリート型枠支持具。
【請求項８】
前記外側支持片部の幅方向の中央に、折曲掛止片を設けてなる請求項１、２、３、４、５、６又は７記載のコンクリート型枠支持具。
【考案の詳細な説明】
【技術分野】
【０００１】
本考案は鉄筋コンクリート製の構造物を築造する際のコンクリート型枠支持具に関するものである。
【背景技術】
【０００２】
鉄筋コンクリート製の構造物、例えば鉄筋コンクリートの壁を構築するときには、横筋と縦筋を格子状に組んだ鉄筋組体の両側に型枠を組み付け、この型枠間にコンクリートを流し込んで構築する。
【０００３】
そして、上記型枠の組み付けには、内側と外側の二枚の平行したプレートからなる各型枠の下端部を支持するコンクリート型枠支持具が用いられる。
【０００４】
図９乃至図１３には、従来のコンクリート型枠支持具を示しており、先ず図９及び図１０に示したコンクリート型枠支持具について説明する。該コンクリート型枠支持具１００は、所要の幅及び厚味を有する一枚の帯板１０１の長さ方向の両端部に、折曲して直角に起立させた外側支持片部１０２を形成すると共に、該外側支持片部１０２から夫々所定の距離を存した位置に、該帯板１０１の長さ方向に沿った切り込み１０３を入れて切り起こし、一端側を該帯板１０１との連結部とした内側支持片部１０４を形成し、帯板１０１とこれら外側支持片部１０２及び内側支持片部１０４とをもって型枠下端受容部１０５とし、更に前記内側支持片部１０４の位置に、該帯板１０１の幅方向に沿って折り切り線１０６を設けてなるものである。
【０００５】
そしてまた、該コンクリート型枠支持具１００は、帯板１０１の幅方向の両側に、その長さ方向に沿った、断面が湾曲するリブ１０３Ａ、１０３Ａが形成されている。該リブ１０３Ａ、１０３Ａは、本来は帯板１０１及び外側支持片部１０２の強度を高めるために形成されたものではあるが、コンクリート硬化後の型枠取り外し時において折り切り線１０６から切断したとき、図１０に示す如く、該リブ１０３Ａ、１０３Ａによって帯板１０１の裏側に隙間Ｓができることになる。そして、この隙間Ｓの存在は、型枠内に流し込んだコンクリートの一部が流出したり、完成後建造物の内部に水が浸入する原因となる。
【０００６】
そこで、上記コンクリート型枠支持具１００の問題点を解決すべく、図１１及び図１２に示すコンクリート型枠支持具１０７が案出された。該コンクリート型枠支持具１０７は、上記コンクリート型枠支持具１００における強度を高めるための手段としてのリブ１０３Ａ、１０３Ａに代えて、その肉厚を略２倍に増大させたものである。尚、該コンクリート型枠支持具１０７の基本的な構成は上記コンクリート型枠支持具１００と同様であるから、同一の部分には同一の符号を付して詳細な説明は省略する。
【０００７】
しかし、該コンクリート型枠支持具１０７の場合には、相当な肉厚であることから、コストが高くつく上に、重量が大き過ぎて運搬や取扱に不便である。そしてまた、該コンクリート型枠支持具１０７の帯板１０１は平面であるから、上記コンクリート型枠支持具１００の如くリブ１０３Ａ、１０３Ａによる大きな隙間が該帯板１０１の裏側にはできないが、図１２に示す如く、該帯板１０１の肉厚に相当する分、その幅方向の左右に隙間Ｓができる。したがって、上記コンクリート型枠支持具１０７と同様の問題が起こる。
【０００８】
そして更にまた、斯かるコンクリート型枠支持具１０７の問題点を解消すべく、図１３に示したコンクリート型枠支持具１０８が案出された。該コンクリート型枠支持具１０８は、前記コンクリート型枠支持具１０７の半分程度に肉厚を薄くした帯板１０９の長さ方向の両端部における側部に、所定の間隔Ｌをとって支持片１１０、１１１を直角に折曲立設してなるものである。
【０００９】
斯かるコンクリート型枠支持具１０８によれば、その帯板１０９は平面で肉厚が薄いことから、上記の如きコンクリートの流出や水の浸入の問題を解消することができる。しかし、支持片１１０、１１１は肉厚が少なくて強度的に弱いことから、これらの対向面間にコンクリート型枠の下端部を落とし込んだ状態で、型枠内にコンクリートを流し込んだとき、型枠にかかる荷重を支えきれずに変形を来すことがある。
【考案の概要】
【考案が解決しようとする課題】
【００１０】
本考案は上記の点に鑑みなされたものであって、外側支持片部の形態を工夫することによって帯板をも含めた全体の強度を高め、もって帯板の肉厚を薄くすることができる共に、コンクリートを流し込んだときに型枠にかかる荷重を確実に支えることができるようになしたコンクリート型枠支持具を提供しようとするものである。
【課題を解決するための手段】
【００１１】
而して、本考案の要旨とするところは、所要の幅及び厚味を有する一枚の帯板の長さ方向の両端部に、折曲して直角に起立させた外側支持片部を形成すると共に、該外側支持片部から夫々所定の距離を存した位置に、該帯板の長さ方向に沿った切り込みを入れて切り起こし、一端側を該帯板との連結部とした内側支持片部を形成し、帯板とこれら外側支持片部及び内側支持片部とをもって型枠下端受容部とし、更に前記内側支持片部の位置に、該帯板の幅方向に沿って折り切り線を設けてなるコンクリート型枠支持具において、前記外側支持片部に、前記内側支持片部と反対側に向けてアングル状補強部を形成すると共に該アングル状補強部の下端面を前記帯板の下端面と同一水平面となしたことを特徴とするコンクリート型枠支持具にある。
【００１２】
また、上記構成において、外側支持片部に、その両側端部を直角に内側支持片部と反対側に折曲することによりアングル状補強部を形成するようにしてもよい。
【００１３】
また、上記構成において、外側支持片部に、その両側端からやや内側に寄った位置に夫々縦方向の切り込みを入れ、該切り込みから内側支持片部と反対側に向けて直角に切り起こすことによりアングル状補強部を形成するようにしてもよい。
【００１４】
また、上記構成において、外側支持片部に、その上端部を更に内側支持片部と反対側に逆Ｖ字状に折曲することによりアングル状補強部を形成するようにしてもよい。
【００１５】
また、上記構成において、外側支持片部に、その上端部を重合するよう内側支持片部と反対側に折り返すと共に該折り返し部の端部を更に直角に内側支持片部と反対側に折曲することによりアングル状補強部を形成するようにしてもよい。
【００１６】
また、上記構成において、帯板の長さ方向の両端部における外側支持片部の位置に、該帯板の幅方向に沿って折り切り線を設けるようにしてもよい。
【００１７】
また、上記構成において、内側支持片部の上端部を、前記外側支持片部と反対側に向けて折曲するようにしてもよい。
【００１８】
また、上記構成において、外側支持片部の幅方向の中央に、折曲掛止片を設けるようにしてもよい。
【考案の効果】
【００１９】
本考案は、上記の如き構成であり、外側支持片部の形態を工夫することによって帯板をも含めた全体の強度を高めることができるものである。即ち、帯板の両端部の外側支持片部は、該帯板の幅方向に沿って延びると共に該帯板の長さ方向に対して直角のアングルとなっている。したがって、帯板の捩れに対する強度が増大している。そしてまた、外側支持片部自体も、内側支持片部と反対側に向けてアングル状補強部を形成していることから強度が高まっており、加えてアングル状補強部は、その下端面が帯板の下端面と同一水平面となっていることから、外側支持片部に対して内面側から強い力が加わったとしても外側のアングル状補強部が突支となり、傾倒を阻止することができる。したがって、帯板の肉厚を薄くすることができ、コンクリート硬化後の型枠取り外し時において折り切り線から切断したとき、帯板の幅方向の左右の隙間からのコンクリートの流出や水の浸入を極力少なくすることができるものである。また、コンクリートを流し込んだときに型枠にかかる荷重を確実に支えることができるものである。また、帯板の肉厚が薄いことからコストが安くて済み、且つ軽量であるから運搬や取扱いも容易である。
【００２０】
また、帯板の長さ方向の両端部における外側支持片部の位置に、該帯板の幅方向に沿って折り切り線を設けた場合には、コンクリート硬化後に型枠を取り外すとき、これを手際よく迅速に行うことができる。即ち、バール等の適宜の道具を型枠と外側支持片部との隙間にこじ入れて加圧すれば、折り切り線の位置で帯板を切断することができ、もって外側支持片部を除去した状態で型枠を外すことができる。
【００２１】
また、内側支持片部の上端部を、前記外側支持片部と反対側に向けて折曲した場合には、上方から型枠を外側支持片部と内側支持片部間に落とし込むとき、該内側支持片部の上端部の曲がりが受け入れ用のガイドとなり、スムーズな嵌め込みが可能となる。
【００２２】
また、外側支持片部の幅方向の中央に、折曲掛止片を設けた場合には、次の通りの効果を奏するものである。即ち、ベタ基礎において、下部に配設された鉄筋の上に更にコンクリート型枠を配設するときには、下部に配設された鉄筋の上面に本考案に係るコンクリート型枠支持具を置き、その帯板の両端部の型枠下端受容部にコンクリート型枠における外側のプレートと内側のプレートの下端部を夫々嵌め込むが、このとき該折曲掛止片を内側に折り曲げて、外側のプレートと内側のプレートの夫々の下端外縁の立ち上がり部に掛け止めることにより、コンクリート型枠支持具の型枠からのずれ落ちを防止することができるものである。
【図面の簡単な説明】
【００２３】
【図１】本考案の第１実施形態に係るコンクリート型枠支持具の使用状態の斜視図である。
【図２】本考案の第１実施形態に係るコンクリート型枠支持具の要部の斜視図である。
【図３】同縦断面図である。
【図４】本考案の第２実施形態に係るコンクリート型枠支持具の要部の斜視図である。
【図５】本考案の第３実施形態に係るコンクリート型枠支持具の要部の斜視図である。
【図６】同縦断面図である。
【図７】本考案の第４実施形態に係るコンクリート型枠支持具の要部の斜視図である。
【図８】同縦断面図である。
【図９】従来のコンクリート型枠支持具の要部の斜視図である。
【図１０】図９中Ａ−Ａ線切断部端面図である。
【図１１】従来の他のコンクリート型枠支持具の要部の斜視図である。
【図１２】図１１中Ｂ−Ｂ線切断部端面図である。
【図１３】従来の他のコンクリート型枠支持具の要部の斜視図である。
【考案を実施するための形態】
【００２４】
以下、本考案を実施するための形態について、図面を参照して説明する。
【００２５】
図中、１はコンクリート型枠支持具である。また、該コンクリート型枠支持具１は、所要の幅及び厚味を有する一枚の帯板２の長さ方向の両端部に、折曲して直角に起立させた外側支持片部３を形成すると共に、該外側支持片部３から夫々所定の距離を存した位置に、該帯板２の長さ方向に沿った切り込み４を入れて切り起こし、一端側を該帯板２との連結部とした内側支持片部５を形成し、帯板２とこれら外側支持片部３及び内側支持片部５とをもって型枠下端受容部６とし、更に前記内側支持片部５の位置に、該帯板２の幅方向に沿って折り切り線７を設けている。尚、帯板２の幅は、従来のコンクリート型枠支持具と同様であるが、強度的に充分な範囲において肉厚はそれより薄くしている。
【００２６】
また、前記コンクリート型枠支持具１は、外側支持片部３に、その両側端部を直角に内側支持片部５と反対側に折曲することによりアングル状補強部８、８を形成すると共に該アングル状補強部８、８の下端面８′、８′を前記帯板２の下端面と同一水平面となしている。
【００２７】
また、前記帯板２の長さ方向の両端部における前記外側支持片部３の位置に、該帯板２の幅方向に沿って折り切り線９を設けている。
【００２８】
また、前記内側支持片部５の上端部５Ａを、前記外側支持片部３と反対側に向けて折曲している。
【００２９】
また、前記外側支持片部３の幅方向の中央に、折曲掛止片１０を設けている。尚、その他図中１１２は土台、１１３は鉄筋組体における横筋、１１４は縦筋、１１５は一対のプレート１１６、１１７からなるコンクリート型枠である。
【００３０】
本実施形態に係るコンクリート型枠支持具１は、従来と同様、図１に示す如く、コンクリート型枠１１５における各プレート１１６、１１７の下端部を、土台１１２上に配した該コンクリート型枠支持具１における各型枠下端受容部６、６に落とし込むことによってこれを支持するものである。そして、コンクリート硬化後は、折り切り線７から切断するものである。
【００３１】
而して、本実施形態において帯板２の両端部の外側支持片部３は、該帯板２の幅方向に沿って延びると共に該帯板２の長さ方向に対して直角のアングルとなっているから、帯板２の捩れに対する強度が増大している。そしてまた、外側支持片部３自体も、内側支持片部５と反対側に向けてアングル状補強部８、８を形成していることから強度が高まっており、加えてアングル状補強部８、８は、その下端面８′、８′が帯板２の下端面と同一水平面となっていることから、外側支持片部３に対して内面側から強い力が加わったとしても外側のアングル状補強部８、８が突支となり、傾倒を阻止することができる。したがって、帯板２の肉厚を薄くすることができ、コンクリート硬化後の型枠取り外し時において折り切り線７から切断したとき、帯板２の幅方向の左右の隙間からのコンクリートの流出や水の浸入を極力少なくするができるものである。また、コンクリートを流し込んだときに型枠にかかる荷重を確実に支えることができるものである。また、帯板２の肉厚が薄いことからコストが安くて済み、且つ軽量であるから運搬や取扱いも容易である。
【００３２】
また、帯板２の長さ方向の両端部における外側支持片部３の位置に、該帯板２の幅方向に沿って折り切り線９を設けているから、コンクリート硬化後に型枠を取り外すとき、これを手際よく迅速に行うことができる。即ち、バール等の適宜の道具を型枠と外側支持片部３との隙間にこじ入れて加圧すれば、折り切り線９の位置で帯板２を切断することができ、もって外側支持片部３を除去した状態で型枠を外すことができる。これにより型枠の取り外し作業の能率を向上させることができる。
【００３３】
また、内側支持片部５の上端部５Ａを、前記外側支持片部３と反対側に向けて折曲したから、上方から型枠を外側支持片部３と内側支持片部５間に落とし込むとき、該内側支持片部５の上端部５Ａの曲がりが受け入れ用のガイドとなり、スムーズな嵌め込みが可能となる。もって、型枠の組み付け作業の能率を向上させることができる。
【００３４】
また、外側支持片部３の幅方向の中央に、折曲掛止片１０を設けたから、次の通りの効果を奏するものである。即ち、ベタ基礎において、下部に配設された鉄筋の上に更にコンクリート型枠を配設するときには、下部に配設された鉄筋の上面に本考案に係るコンクリート型枠支持具１を置き、その帯板２の両端部の型枠下端受容部６にコンクリート型枠における外側のプレートと内側のプレートの下端部を夫々嵌め込むが、このとき該折曲掛止片１０を内側に折り曲げて、外側のプレートと内側のプレートの夫々の下端外縁の立ち上がり部に掛け止めることにより、コンクリート型枠支持具１の型枠からのずれ落ちを防止することができるものである。尚、１１、１１は該折曲掛止片１０を形成するために外側支持片部３に入れた切り込みである。
【００３５】
次に、図４に示した本考案の第２実施形態について説明する。
本実施形態は、外側支持片部３に、その両側端からやや内側に寄った位置に夫々縦方向の切り込み１２、１２を入れ、該切り込み１２、１２から内側支持片部５と反対側に向けて直角に切り起こすことによりアングル状補強部８、８を形成した点において前記第１実施形態と相違するものである。また、その他の構成並びに作用は前記第１実施形態と同様であるから、同一の部分には同一の符号を付して詳細な説明は省略する。
【００３６】
次に、図５及び図６に示した本考案の第３実施形態について説明する。
本実施形態は、外側支持片部３に、その上端部を更に内側支持片部５と反対側に逆Ｖ字状に折曲することによりアングル状補強部８を形成した点において前記第１実施形態と相違するものである。また、その他の構成並びに作用は前記第１実施形態と同様であるから、同一の部分には同一の符号を付して詳細な説明は省略する。
【００３７】
次に、図７及び図８に示した本考案の第４実施形態について説明する。
本実施形態は、外側支持片部３に、その上端部を重合するよう内側支持片部５と反対側に折り返す３Ａと共に該折り返し部３Ａの端部を更に直角に内側支持片部５と反対側に折曲することによりアングル状補強部８を形成した点において前記第１実施形態と相違するものである。また、その他の構成並びに作用は前記第１実施形態と同様であるから、同一の部分には同一の符号を付して詳細な説明は省略する。
【符号の説明】
【００３８】
１  コンクリート型枠支持具
２  帯板
３  外側支持片部
４  切り込み
５  内側支持片部
６  型枠下端受容部
７  折り切り線
８  アングル状補強部
９  折り切り線
１０  折曲掛止片
【図１】
0003154624.tif 000003
【図２】
0003154624.tif 000004
【図３】
0003154624.tif 000005
【図４】
0003154624.tif 000006
【図５】
0003154624.tif 000007
【図６】
0003154624.tif 000008
【図７】
0003154624.tif 000009
【図８】
0003154624.tif 000010
【図９】
0003154624.tif 000011
【図１０】
0003154624.tif 000012
【図１１】
0003154624.tif 000013
【図１２】
0003154624.tif 000014
【図１３】
0003154624.tif 000015
【手続補正書】
【提出日】平成21年8月28日(2009.8.28)
【手続補正１】
【補正対象書類名】明細書
【補正対象項目名】００１１
【補正方法】変更
【補正の内容】
【００１１】
而して、本考案の要旨とするところは、所要の幅及び厚味を有する一枚の帯板の長さ方向の両端部に、折曲して直角に起立させた外側支持片部を形成すると共に、該外側支持片部から夫々所定の距離を存した位置に、該帯板の長さ方向に沿った切り込みを入れて切り起こし、一端側を該帯板との連結部とした内側支持片部を形成し、帯板とこれら外側支持片部及び内側支持片部とをもって型枠下端受容部とし、更に前記内側支持片部の位置に、該帯板の幅方向に沿って折り切り線を設けてなるコンクリート型枠支持具において、前記外側支持片部に、前記内側支持片部と反対側に向けてアングル状補強部を形成したことを特徴とするコンクリート型枠支持具にある。
【手続補正２】
【補正対象書類名】明細書
【補正対象項目名】００１９
【補正方法】変更
【補正の内容】
【００１９】
本考案は、上記の如き構成であり、外側支持片部の形態を工夫することによって帯板をも含めた全体の強度を高めることができるものである。即ち、帯板の両端部の外側支持片部は、該帯板の幅方向に沿って延びると共に該帯板の長さ方向に対して直角のアングルとなっている。したがって、帯板の捩れに対する強度が増大している。そしてまた、外側支持片部自体も、内側支持片部と反対側に向けてアングル状補強部を形成していることから強度が高まっており、加えてアングル状補強部は、外側支持片部に対して内面側から強い力が加わったときに突支となり、傾倒を阻止することができる。したがって、帯板の肉厚を薄くすることができ、コンクリート硬化後の型枠取り外し時において折り切り線から切断したとき、帯板の幅方向の左右の隙間からのコンクリートの流出や水の浸入を極力少なくすることができるものである。また、コンクリートを流し込んだときに型枠にかかる荷重を確実に支えることができるものである。また、帯板の肉厚が薄いことからコストが安くて済み、且つ軽量であるから運搬や取扱いも容易である。
【手続補正３】
【補正対象書類名】明細書
【補正対象項目名】００２６
【補正方法】変更
【補正の内容】
【００２６】
また、前記コンクリート型枠支持具１は、外側支持片部３に、その両側端部を直角に内側支持片部５と反対側に折曲することによりアングル状補強部８、８を形成している。また該アングル状補強部８、８の下端面８′、８′は前記帯板２の下端面と同一水平面となしている。
【手続補正４】
【補正対象書類名】明細書
【補正対象項目名】００３１
【補正方法】変更
【補正の内容】
【００３１】
而して、本実施形態において帯板２の両端部の外側支持片部３は、該帯板２の幅方向に沿って延びると共に該帯板２の長さ方向に対して直角のアングルとなっているから、帯板２の捩れに対する強度が増大している。そしてまた、外側支持片部３自体も、内側支持片部５と反対側に向けてアングル状補強部８、８を形成していることから強度が高まっており、加えてアングル状補強部８、８は、外側支持片部３に対して内面側から強い力が加わったときに突支となり、傾倒を阻止することができる。したがって、帯板２の肉厚を薄くすることができ、コンクリート硬化後の型枠取り外し時において折り切り線７から切断したとき、帯板２の幅方向の左右の隙間からのコンクリートの流出や水の浸入を極力少なくするができるものである。また、コンクリートを流し込んだときに型枠にかかる荷重を確実に支えることができるものである。また、帯板２の肉厚が薄いことからコストが安くて済み、且つ軽量であるから運搬や取扱いも容易である。
【手続補正５】
【補正対象書類名】実用新案登録請求の範囲
【補正対象項目名】請求項１
【補正方法】変更
【補正の内容】
【請求項１】
所要の幅及び厚味を有する一枚の帯板の長さ方向の両端部に、折曲して直角に起立させた外側支持片部を形成すると共に、該外側支持片部から夫々所定の距離を存した位置に、該帯板の長さ方向に沿った切り込みを入れて切り起こし、一端側を該帯板との連結部とした内側支持片部を形成し、帯板とこれら外側支持片部及び内側支持片部とをもって型枠下端受容部とし、更に前記内側支持片部の位置に、該帯板の幅方向に沿って折り切り線を設けてなるコンクリート型枠支持具において、前記外側支持片部に、前記内側支持片部と反対側に向けてアングル状補強部を形成したことを特徴とするコンクリート型枠支持具。